(57)【要約】従来の平面旧式電話サービス（ＰＯＴＳ）電話サポートをもつスタンドアローンなヴォイスオーバーインターネットプロトコル（ＶＯＩＰ）電話を利用した装置、および方法が開示される。複数の外部アナログ電話セットを支持するアナログ電話アダプター、およびデータチャネルを通してのＶｏＩＰ音声データ通信を支持するデジタルインターネットプロトコル（ＩＰ）インターフェイスを持つスタンドアローンなＶｏＩＰ電話が提示される。ＶｏＩＰ電話は、ＶｏＩＰ電話とＩＰネットワーク（３１０）へのデータスイッチとの間のＶｏＩＰサービスラインデータ接続を打ち立てるために使用される。ＶｏＩＰ電話は、外部アナログ電話（３１５）からのアナログ電話信号を受信し、外部アナログ電話とＶｏＩＰ電話（３２０）との間の音声接続を打ち立てる。
2006526949.tif 000002
【特許請求の範囲】
【請求項１】
スタンドアローンなヴォイスオーバーインターネットプロトコル（ＶｏＩＰ）電話を用いて音声接続を打ち立てる方法であって、該方法は以下のことよりなる：
ＶｏＩＰ電話とインターネットプロトコル（IP）ネットワークへのデータスイッチとの間のヴォイスオーバーインターネットプロトコルサービスラインデータ接続を打ち立てること；
前記スタンドアローンなＶｏＩＰ電話で少なくとも１つの外部アナログ電話からのアナログ電話信号を受信すること；および、
前記外部アナログ電話セットと前記スタンドアローンなＶｏＩＰ電話との間で音声接続を打ち立てること。
【請求項２】
スタンドアローンなヴォイスオーバーインターネットプロトコル電話装置で、以下のものよりなる：
複数の外部アナログ電話セットを支持するアナログ電話インターフェイスアダプター；および
データチャネルを介してヴォイスオーバーインターネットプロトコル音声データ通信を支持するデジタルインターネットプロトコルインターフェイス。
【請求項３】
請求項２のスタンドアローンなＶｏＩＰ電話装置であって、さらに以下のものからなる：
アナログ電話インターフェイスアダプターに応答する、かつ、前記ＶｏＩＰ電話装置のハンドセットに応答するエンコーダおよびデコーダモデュール；
前記エンコーダおよびデコーダモデュールに応答するデジタル信号処理回路；および
前記デジタル信号処理回路に応答する時分割マルチプレクサ。
【請求項４】
請求項２のスタンドアローンなＶｏＩＰ電話装置であって、さらに、以下のものからなる：
呼び出し者入力に応答するキーボード；
外部アナログ電話インターフェイスに応答する視覚表示窓；および
専用ハンドセット。
【請求項５】
請求項４に記載のスタンドアローンなＶｏＩＰ電話装置であって、
前記視覚表示窓は、さらに、呼び出し特徴管理サービスに応答する。
【請求項６】
請求項４に記載のスタンドアローンなＶｏＩＰ電話装置において、
前記複数の外部アナログ電話セットは、共通線をシェアする。
【請求項７】
請求項２に記載のスタンドアローンなＶｏＩＰ電話装置において、
前記アナログインターネットアダプターは、RJ11アダプターである。
【請求項８】
スタンドアローンなヴォイスオーバーインターネットプロトコル電話を用いて音声接続を打ち立てる方法であって、該方法は以下のことよりなる：
スタンドアローンなヴォイスオーバーインターネットプロトコル電話と、データスイッチとの間で、ヴォイスオーバーインターネットプロトコルサービスラインデータ接続を打ち立てること；
ヴォイスオーバーインターネットプロトコル電話ネットワークで、ヴォイスオーバーインターネットプロトコル音声信号データを、受信すること；
前記スタンドアローンなヴォイスオーバーインターネットプロトコル電話で少なくとも１つの外部アナログ電話からのアナログ電話信号を受信すること；および、
前記外部アナログ電話セットと前記スタンドアローンなヴォイスオーバーインターネットプロトコルとの間で音声接続を打ち立てること。
【請求項９】
請求項８に記載の方法において、
前記データスイッチは、インターネットプロトコルに接続されている。
【請求項１０】
請求項８に記載の方法において、さらに、
前記少なくとも１つの外部アナログ電話セットからのアナログ信号を、前記ヴォイスオーバーインターネットプロトコル電話に送ることを含む。
【請求項１１】
アナログ電話ユニットと、スタンドアローンなヴォイスオーバーインターネットプロトコル電話との間で通信を行う方法であって、該方法は、以下のことからなる：
アナログ電話ユニットの利用者からの電話を掛けるべき旨の要求を受信すること；
該要求を処理すること；
スタンドアローンなヴォイスオーバーインターネットプロトコル電話への音声トラフィックを支持する電話線を介して、前記電話ユニットからのアナログ信号を送り、該ヴォイスオーバーインターネットプロトコル電話は、ヴォイスオーバーインターネットプロトコルトラフィックの通信を支持するようデータインターフェイス。
【請求項１２】
請求項１１に記載の方法であって、
前記要求は、オフフック要求である。
【請求項１３】
電話ユニットと、ヴォイスオーバーインターネットプロトコル電話との間で、通信を行う方法であって、該方法は、以下のものからなる：
ヴォイスオーバーインターネットプロトコル電話からの電話信号を受けること、ここで、該ヴォイスオーバーインターネットプロトコル電話は、ヴォイスオーバーインターネットプロトコルトラフィックの通信を支持するようデータインターフェイスを含む；
前記受信した電話信号を処理すること；および
前記電話ユニットと、前記ヴォイスオーバーインターネットプロトコル電話との間での音声接続を打ち立てること。
【請求項１４】
ヴォイスオーバーインターネットプロトコル電話を用いて通信をする方法であって、該方法は、以下のことを含む：
共通の電話線をシェアする複数の外部電話ユニットのうちの少なくとも１つからの電話トラフィックをヴォイスオーバーインターネットプロトコル電話で受信すること；
前記電話トラフィックを、デジタルヴォイスオーバーインターネットプロトコルデータに変換すること；および
前記デジタルＶｏＩＰデータをデータスイッチ設備に通信すること。
【請求項１５】
請求項１４に記載の方法であって、さらに、
前記データスイッチ設備からの前記デジタルヴォイスオーバーインターネットプロトコルデータを、インターネットプロトコルネットワークを介して送る。
【請求項１６】
請求項１５に記載の方法であって、
前記データスイッチ設備は、モデムである。
【請求項１７】
請求項１５に記載の方法であって、
前記データスイッチ設備は、デジタル購入者モデムである。
【請求項１８】
請求項１５に記載の方法であって、
前記データスイッチ設備は、ケーブルモデムである。
【発明の詳細な説明】
【技術分野】
【０００１】
本発明は、一般に、ヴォイスオーバーインターネットプロトコル（ＶｏＩＰ）電話に関するものであり、特に、従来のプレーンオールドテレフォンシステム（ＰＯＴＳ）のサポートをもつ単独のＶｏＩＰ電話に関するものである。
【背景技術】
【０００２】
インターネットプロトコル（ＩＰ）電話は、ビジネス／企業セクターに、ヴォイスオーバーインターネットプロトコル（ＶｏＩＰ）サービスを提供するよう発展されてきた。ＶｏＩＰサービスは、従来の長距離電話サービス会社のコスト削減に対して、特に数々の衛星オフィス大多国籍企業に対して、かなりのコスト削減を提供してきた。
【０００３】
代表的に、IP電話セットは、会社のローカルエリアネットワーク（LAN）及び／又はデータネットワークに、企業環境における音声を可能としたルーターへのイーサーネット接続を介して接続する。シスコ(Cisco)、ジーメンス(Siemens)、ポリコム(Polycom)、アンティアイピー(Anti-IP)により製造されたもののような多くの現在利用可能なIP電話は、IP電話をLAN接続に接続するためのイーサーネットジャック、すなわち、RJ45を持ち、かつ、IP電話およびコンピュータを企業のLAN接続に接続するための追加のRJ45ジャックを持っている。
【０００４】
消費者、すなわち、居住する顧客は、1個のIP電話の値段は数百ドルのオーダーになるため、IP電話を２つ以上は、一般的には買わない。しかしながら、多くの家庭は、２つ以上のポッツ(POTS)電話セットを持っている。
【０００５】
現在のスタンドアローンなIP電話セットは、従来のPOTS電話セットへの同じラインの拡張を支持するものではない。このように、居住する顧客が、1個のIP電話を購入しＶｏＩＰサービスを契約する場合には、電話によるコールは１個のIP電話のみを介してなされ、現にあるPOTS電話セットを介してはなされない。顧客に複数のIP電話セットを購入することを要求することは、平均的な顧客の予算の限界より、IP電話の使用により実現される長距離電話の費用削減を考慮したとしても望ましいことではない。IP電話セットの現在の設計に、同じラインの延長を支持するためには、複数のIP電話セットが要求され、かつ、サービスプロバイダーは、ほとんど、同じ家庭における各IP電話に同じ電話番号を搭載するための予備的なプロセスに従事しなければならない。
【０００６】
したがって、同じラインの延長上に従来の電話セットを支持することのできるスタンドアローンなIP電話が必要となる。
【特許文献１】米国特許第６，１６９，７３４号明細書
【特許文献２】米国特許第６，４６３，０５１号明細書
【特許文献３】米国特許第６，４８０，５８１号明細書
【特許文献４】米国特許第６，５２９，５０１号明細書
【特許文献５】米国特許出願公開第２００２／１８６６８６Ａ１号明細書
【特許文献６】米国特許出願公開第２００３／２６３７Ａ１号明細書
【非特許文献１】Witowsky, William E., Senior Vice President Engineering & Chief Technical Officer, Telogy Networks, Inc., a Texas Instruments Company, "IP Telephone Design and Implementation Issues" White Paper; July 1998, Version 2.2 SPEY 004
【発明の開示】
【０００７】
特定の実施形態において、スタンドアローンなヴォイスオーバーインターネットプロトコル（ＶｏＩＰ）電話を用いて音声接続を打ち立てる方法が提示される。該方法は、ＶｏＩＰ電話と、インターネットプロトコル（IP）ネットワークへのデータスイッチとの間のヴォイスオーバーインターネットプロトコルサービスラインデータ接続を打ち立てることを含む。少なくとも１つの外部アナログ電話からの電話信号は、スタンドアローンなＶｏＩＰ電話で受けられ、外部アナログ電話セットと、スタンドアローンなＶｏＩＰ電話との間で、音声接続が打ち立てられる。
【０００８】
特定の実施形態において、スタンドアローンなＶｏＩＰ電話装置は、複数の外部アナログ電話セットを支持するアナログ電話インターフェイスアダプターを含む。もう１つの実施形態において、スタンドアローンな電話装置は、アナログ電話インターフェイスアダプターに応答する、かつ、ＶｏＩＰ電話装置に属するハンドセットに応答するエンコーダおよびデコーダモデュールを含むばかりでなく、エンコーダおよびデコーダモデュールに応答するデジタル信号処理回路を含む。ＶｏＩＰ電話はまた、デジタル信号処理回路に、かつ、デジタルインターネットプロトコル（IP）インターフェイスに接続された時分割マルチプレクサを含む。
【０００９】
さらなる実施形態において、スタンドアローンなＶｏＩＰ電話を使用して、音声接続を打ち立てる方法が提示される。この方法は、スタンドアローンなＶｏＩＰ電話と、データスイッチとの間のＶｏＩＰサービスラインデータ接続を打ち立てること、ＶｏＩＰ電話ネットワークでＶｏＩＰ音声信号データを受けること、ＶｏＩＰ電話で少なくとも１つの外部アナログ電話セットからのアナログ信号を受けること、および外部アナログ電話セットとスタンドアローンなＶｏＩＰ電話との間の音声接続を打ち立てること、を含む。特定の実施形態において、データスイッチは、IPネットワークに接続されている。もう１つの実施形態において、該方法はさらに、少なくとも１つの外部アナログ電話セットからの電話信号をＶｏＩＰ電話に送ることを含む。
【００１０】
もう１つの実施形態において、アナログ電話ユニットと、スタンドアローンなＶｏＩＰ電話との間で通信を行う装置が提示される。該方法は、アナログ電話ユニットのユーザからの電話コールをすべき旨の(to place a call）要求を受けること、該要求を処理すること、スタンドアローンなＶｏＩＰ電話への音声トラフィックを支持する電話線を介して、電話ユニットからのアナログ信号を送ること、を含む。該ＶｏＩＰ電話は、ヴォイスオーバーインターネットプロトコルの通信を支持するデータインターフェイスを含む。
【００１１】
さらなる実施形態において、電話ユニットとＶｏＩＰ電話との間で通信する方法が開示されている。該方法は、ＶｏＩＰ電話からの電話信号を受けることを含んでおり、ここで、該ＶｏＩＰ電話は、ヴォイスオーバーインターネットプロトコルの通信を支持するインターネットプロトコルを含む。該方法はさらに、受信した電話信号を処理すること、および電話ユニットとＶｏＩＰ電話間での音声接続を打ち立てることを含む。
【００１２】
他の実施形態において、ＶｏＩＰ電話を用いて通信をする方法が提示される。該方法は、共通の電話線をシェアする複数の外部電話ユニットのうちの少なくとも１つからの電話トラフィックをＶｏＩＰ電話で受信すること、該電話トラフィックをデジタルＶｏＩＰデータに変換すること、および、デジタルＶｏＩＰデータをデータスイッチ設備に通信すること、を含む。特定の実施形態において、該方法はさらに、データスイッチ設備からのデジタルＶｏＩＰデータを、インターネットプロトコルネットワークを介して送ることを含む。
【発明を実施するための最良の形態】
【００１３】
本開示は、共通の線延長を利用した従来のプレーンオールドテレフォンサービス（ＰＯＴＳ）電話セットを提供するヴォイスオーバーインターネットプロトコル（ＶｏＩＰ）電話に向けられたものであり、図１〜図８を参照してよりよく理解されるであろう。
【００１４】
図１は、従来の同じ（共通の）線延長のためのPOTS電話セットサポートをもつスタンドアローンなヴォイスオーバーインターネットプロトコル（ＶｏＩＰ）電話の一実施形態を示す。図１の例において、スタンドアローンなＶｏＩＰ電話１０１は該ＶｏＩＰ電話１０１内に、アナログインターフェイス、すなわちRJ11アダプターを介して接続された２つのアナログ延長電話１０３および１０５を持つ。ＶｏＩＰ電話１０１はデジタルインターフェイス、すなわちRJ45アダプターを介してイーサースイッチ１１１に接続されている。イーサースイッチ１１１は、今度は、サービスラインデータ接続を介してデータスイッチ設備１１３に接続されている。データスイッチ設備１１３は、インターネット等のインターネットプロトコルネットワーク上で、デジタルヴォイスオーバーインターネットプロトコルデータを通信するよう形成されている。
【００１５】
特定の例において、デジタルスイッチ設備１１３はモデムである。そのモデムは非同期デジタル購入者ライン（ADSL）モデム、デジタル購入者ライン（DSL）モデム、ケーブルモデム、あるいは他の高速度インターフェイスであってもよい。パーソナルコンピュータ（PC）１０９はまた、IPネットワーク１１５へのPC１０９アクセスを提供するようイーサスイッチ１１１に接続されていてもよい。イーサースイッチ１１１は必要に応じて、データ送信を優先化する、すなわちＶｏＩＰ電話１０１からのＶｏＩＰデータをPC１０９のそれよりも優先化するロジックを含んでいる。ただ、アナログ拡張電話１０３および１０５から伸びる２つの分離したRJ11ラインが、ＶｏＩＰ電話１０１内の２つの分離した位置に入って行くように図示されていることに、気づかれなければならない。他の実施形態においては、ＶｏＩＰ電話１０１は、図１および図２に図示される分離したRJ11入力点よりむしろ、“隣接する（side by side）”配列が利用されるようなアナログ電話インターフェイス設計を許可するであろう。
【００１６】
図２は、スタンドアローンなＶｏＩＰ電話装置２０１を示すブロック図である。ＶｏＩＰ電話装置２０１は、以下の構成要素を含む：アナログ電話拡張へのRJ11接続２０３をもつアナログ電話インターフェイスアダプター２０２；専用のＶｏＩＰ電話ハンドセット２１１に応答する、かつ、アナログ電話インターフェイスアダプター２０２に応答するエンコーダおよびデコーダ（コーデック）モデュール２０４；エンコーダおよびデコーダモデュール２０４に組み込まれた時分割マルチプレクサー２０５；エンコーダおよびデコーダモデュール２０４に応答するデジタル信号処理回路２０６；呼び出し者入力に応答する電話キーパッド２０７；制御プロセッサ２０８；外部アナログ電話インターフェイスに応答する視覚表示窓２０９；デジタルインターネットプロトコル（IP）インターフェイス２１４；および、データスイッチへのRJ45接続２１５。他の実施形態において、複数の外部アナログ電話セットは、ＶｏＩＰ電話２０１と共通線をシェアしている。
【００１７】
ハンドセットインターフェイス２１０は、専用のＶｏＩＰ電話ハンドセット２１１に接続されており、該ハンドセットは、受信機２１１およびマイクロフォン２１３を有している。制御プロセッサ２０８は、電話の代表的な利用者相互作用機能のための処理、たとえば、キーパッド２０７により検出された入力を処理すること、ダイヤルされた番号等の利用者情報を表示窓２０９に表示すること、外に出て行く、または中に入って来る呼び出しのために聴覚的な、あるいは視覚的な指示器を与えること、等を行う。図示された実施形態において、視覚表示窓は、呼び出し者ID、および呼び出しのブロッキング等の呼び出し特徴管理サービスに応答する。また、リダイヤル、ホールド、転送、等のより複雑な電話特徴を設けるようにしてもよい。
【００１８】
ここには特に図示していない他の構成要素を、ＶｏＩＰ電話１０１内に組み込むようにしてもよいことは理解されるであろう。他の構成要素の例は、電話情報の調整（coordination）を許すようデバイスに対する通信を許すよう、かつ自動ダイヤリングを許可するよう、直列インターフェイスを含む。また、スタンドアローンなＶｏＩＰ電話の、ＶｏＩＰ音声処理、呼び出し処理、プロトコル処理、およびネットワーク管理、のソフトウェア機能を遂行する機能をＶｏＩＰ電話１０１によって与えるようにしてもよい。
【００１９】
スタンドアローンなＶｏＩＰ電話を用いて音声接続を打ち立てる方法の一実施形態が、図３のフロー図に提示される。ステップ３１０において、スタンドアローンなＶｏＩＰ電話と、インターネットプロトコル（IP）ネットワークへのデータスイッチとの間で、ＶｏＩＰサービスラインデータ接続が打ち立てられる。ステップ３１５において、ＶｏＩＰ電話は、少なくとも１つの外部アナログ電話セットから、アナログ電話信号を、すなわちアナログ電話オフフック信号を、ＶｏＩＰ電話で受ける。
【００２０】
ステップ３２０において、ＶｏＩＰ電話は少なくとも１つの外部アナログ電話セットとＶｏＩＰ電話との間の音声接続を打ち立てる。たとえば、該ＶｏＩＰ電話は外部アナログ電話にダイアルトーンを与え、ユーザからのTDMFトーンを外部アナログ電話セットに集め、TDMFトーンをダイアルされたデジットに翻訳する。これらのダイヤルされたデジットはパケット化され、IPネットワークに送られる。ステップ３２５において、外部アナログ電話セットを用いる呼び出し者は音声通話を行う。ＶｏＩＰ電話は、音声データをパケット化し、それはIPネットワークに送られる。外部アナログ電話セットを用いる呼び出し者は、呼び出された当事者についてのラインステータス情報、すなわちノーアンサー、ビジー信号、ネットワーク利用不可能、呼び出された当事者と会話中、の状態を、ＶｏＩＰ電話を介して受信する。
【００２１】
図４は、スタンドアローンなＶｏＩＰ電話を用いて音声接続を打ち立てる方法の実施形態を図示するフロー図である。ステップ４３５において、ヴォイスオーバーインターネットプロトコル（ＶｏＩＰ）データライン接続が、スタンドアローンなＶｏＩＰ電話と、データスイッチとの間で打ち立てられる。１つの実施形態において、データスイッチは、インターネットプロトコル（IP）ネットワークに接続される。ＶｏＩＰ音声信号化データは、ステップ４４０において、ＶｏＩＰ電話ネットワークで受信される。ステップ４４５において、少なくとも１つの外部アナログ電話セットからのアナログ電話信号がＶｏＩＰ電話で受信される。ステップ４５０で、外部アナログ電話セットはアナログ信号をＶｏＩＰ電話に送り、ステップ４５５で、外部アナログ電話セットとＶｏＩＰ電話との間で音声接続が打ち立てられる。
【００２２】
図５は、アナログ電話ユニットと、スタンドアローンなＶｏＩＰ電話との間で通信を行う方法の他の実施形態を図示するフロー図である。ステップ５１０において、スタンドアローンなＶｏＩＰ電話は、電話ユーザからの電話をかける（place a call）要求を受信する。特定の実施形態において、その要求はオフフック要求である。ステップ５２０において、ＶｏＩＰ電話は、該要求を処理する。該要求は、ＶｏＩＰ電話がダイヤルトーンを与えるのを早める。ステップ５３０において、アナログ電話ユニットからのアナログ信号は、ＶｏＩＰ電話への音声トラフィックを支持する電話線を経て送信される。ＶｏＩＰ電話は、インターネットプロトコルでの音声の通信を支持するデータインターフェイスを含む。電話の利用者は、電話番号をダイヤルし、それに続いて起こるTDMFトーンは、ＶｏＩＰネットワークへのネットワーク送信のためのデジタルパケットに翻訳される。
【００２３】
アナログPOTS電話ユニットと、スタンドアローンなＶｏＩＰ電話との間で通信を行う方法の一実施形態が、図６に示される。ステップ６１０において、電話信号はＶｏＩＰ電話で受信される。ＶｏＩＰ電話は、ＶｏＩＰトラフィックの通信を支持するデータインターフェイスを含む。ステップ６２０において、ＶｏＩＰ電話は受信した電話信号を処理し、ステップ６３０において、ＶｏＩＰ電話は電話ユニットとＶｏＩＰ電話との間の音声接続を打ち立てる。
【００２４】
図７は、ＶｏＩＰ電話を用いて通信を行う方法を図示するフロー図である。ステップ７１０において、前記ＶｏＩＰ電話は、共通する電話線、たとえば同じ拡張電話をシェアする複数の外部電話ユニットのうちの少なくとも１つからの電話トラフィックを受ける。ステップ７１５において、前記ＶｏＩＰ電話は、電話トラフィックを、デジタルヴォイスオーバーインターネットプロトコルデータに変換する。ステップ７２０において、前記デジタルヴォイスオーバーインターネットプロトコルデータは、データスイッチ設備に通信され、ステップ７３０において、デジタルヴォイスオーバーインターネットプロトコルデータは、データスイッチ設備からインターネットプロトコルネットワーク上に通信される。
【００２５】
図８は、アナログ電話セットをもつＶｏＩＰ電話の使用を図示するフロー図である。ステップ８０１において、アナログインターフェイス、すなわちRJ11 は、ＶｏＩＰインターネット電話上に搭載される。ＶｏＩＰインタネット電話は、デジタルインターフェイス、すなわちRJ45 を持つ。ステップ８０３において、アナログインターフェイスを持つＶｏＩＰ電話は、インタネットプロトコル（IP）ネットワークに接続される。ステップ８０５において、アナログ電話拡張セットは、ＶｏＩＰ電話アナログインターフェイスを介して搭載される。ステップ８０７において、ＶｏＩＰ電話には、アナログ音声信号をデジタル化するエンコーダ／デコーダ（コーデック）機能を与える。ＶｏＩＰ電話には、ステップ８０９において、アナログ電話拡張セットのためのパケット音声サービスのためのデジタル音声処理（DSP）リソースを備える。ステップ８１１において、ＶｏＩＰ電話には、呼び出し者ID、区別リング等の呼び出し特徴のための信号化を与える。ステップ８１３において、ＶｏＩＰ電話は、アナログ電話拡張セットへの／からの音声パケットを処理する。ステップ８１５において、呼び出し者は、アナログ電話拡張セットを用いた電話コールをする、および／または、受信する。
【００２６】
ここで開示された方法および装置は、柔軟性のある実施（implementation）を与えるものである。発明はある特定の例を用いて説明されているが、当業者にとって本発明がこれらの例に限定されないことは明らかである。さらに、種々のタイプのスタンドアローンなヴォイスオーバーインターネットプロトコル（ＶｏＩＰ）電話および回路設計が、現在利用可能であり、それらはここで教えられた方法およびシステムを用いるとき、ＶｏＩＰ通信における使用に適切であるであろう。上記で開示された主題は、図解のためであり、限定的なものではないと考慮され、添付されたクレームは、本発明の真実の精神および範囲に入るすべての変形、エンハンスメント、および他の実施形態をカバーすることが意図されている。このように、法律で許される最大の範囲まで、本発明の範囲は、以下のクレームおよびそれらの等価物のもっとも広い可能な解釈により決定されるべきものであり、以下の詳細な説明によって限定されるものではない。
【図面の簡単な説明】
【００２７】
【図１】図１は、従来の同じ線延長のためのPOTS電話セットサポートをもつスタンドアローンなＶｏＩＰ電話を示す一般的な図である。
【図２】図２は、ＶｏＩＰ電話システムの１つの実施形態を示すブロック図
【図３】図３は、スタンドアローンなＶｏＩＰ電話を用いて音声接続を打ち立てる方法を図示するフロー図
【図４】図４は、スタンドアローンなＶｏＩＰ電話を用いて音声接続を打ち立てる方法を図示するフロー図
【図５】図５は、アナログ電話ユニットとスタンドアローンなＶｏＩＰ電話との間で通信する方法を示すフロー図
【図６】図６は、電話ユニットとＶｏＩＰ電話との間で、通信する方法を図示するフロー図
【図７】図７は、ＶｏＩＰ電話を用いて通信を行う方法を図示するフロー図
【図８】図８は、アナログ電話セットを持つＶｏＩＰ電話の使用を図示するフロー図
【符号の説明】
【００２８】
図面の訳
図１
１１５    インターネット
１１３    ADSLモデム
１１１    イーサースイッチ−スイッチハブ
図２
２０２    電話拡張へのRJ11
２０２，２０３    アナログ電話インターフェイス
２０４    コーデック
２０５    時分割マルチプレクサ
２０６    信号処理器（DSP）
２０７    電話キーパッド
２０８    コントロールプロセッサ
２０９    ディスプレイ
２１０    ハンドセットインターフェイス
２１１    電話ハンドセット
２１２    受信機
図３
３１０    スタンドアローンなＶｏＩＰ電話と、データスイッチとの間で、ＶｏＩＰサービスラインデータ接続が打ち立てられる。
３１５    ＩＰ電話は、外部アナログ電話セットからのアナログ電話信号を受信する。
３２０    ＩＰ電話は、外部アナログ電話セットと、ＩＰ電話との間で、音声接続を打ち立てる。
３２５    呼び出し者は、外部アナログ電話セットからの音声通話を行う。
図４
４３５    ＩＰ電話と、データスイッチとの間で、ＶｏＩＰサービスラインデータ接続を打ちてる
４４０    ＩＰ電話で、データスイッチからデータを受信する
４４５    ＩＰ電話は、外部アナログ電話セットからアナログ電話信号を受信する
４５０    外部アナログ電話は、アナログ信号をＩＰ電話に送る
４５５    外部アナログ電話とＩＰ電話との間で音声接続が打ち立てられる
図５
５１０    ＩＰ電話は、電話ユーザからの電話をかける（place a call）要求を受信する
５２０    ＶｏＩＰ電話は、要求を処理する
５３０    電話ユニットからのアナログ信号は、ＩＰ電話への音声トラフィックを支持する電話線上を送信される
図６
６１０    ＶｏＩＰデータインターフェイスを持つＩＰ電話は、電話信号を受信する
６２０    ＩＰ電話は、受信した電話信号を処理する
６３０    ＩＰ電話は、電話ユニットとの音声接続を打ち立てる
図７
７１０    ＩＰ電話は、複数の外部電話ユニットのうちの少なくとも１つからの電話トラフィックを受ける
７１５    ＩＰ電話は、電話トラフィックを、デジタルヴォイスオーバーインターネットプロトコルデータに変換する
７２０    デジタルヴォイスオーバーインターネットプロトコルデータは、データスイッチ設備に通信される
７３０    デジタルヴォイスオーバーインターネットプロトコルデータは、データスイッチ設備からインターネット上に通信される
図８
８０１    アナログインターフェイス（RJ11）は、デジタルインターフェイス（RJ45）を持つＶｏＩＰ電話に搭載される
８０３    アナログインターフェイスを持つＶｏＩＰ電話を、インタネット接続に接続する
８０５    アナログ電話拡張セットを、インターネット電話アナログインターフェイスを介して搭載する
８０７    ＶｏＩＰ電話には、アナログ音声信号をデジタル化するエンコーダ／デコーダ（コーデック）機能を与える
８０９    パケット音声サービスのためのデジタル音声処理（DSP）リソースを備える
８１１    呼び出し特徴のための信号化を与える
８１３    ＶｏＩＰ電話は、アナログ電話拡張ハンドセットへの／からの音声パケットを処理する
８１５    呼び出し者は、アナログ電話拡張を用いた電話コールをする、受信する
【図１】
2006526949.tif 000003
【図２】
2006526949.tif 000004
【図３】
2006526949.tif 000005
【図４】
2006526949.tif 000006
【図５】
2006526949.tif 000007
【図６】
2006526949.tif 000008
【図７】
2006526949.tif 000009
【図８】
2006526949.tif 000010
【国際調査報告】
2006526949.tif 000011
2006526949.tif 000012